(57)【要約】      （修正有）【課題】  装置本体に表示ユニットを開閉自在に取り付けた後であっても、フレキシブルプリント基板の表示ユニット側への固定が容易にできるようにする。【解決手段】  装置本体とその端部に開閉自在に取り付けられる表示ユニット２００との間を接続するＦＰＣ１０の固定構造であって、表示ユニット２００の背面２６０に開口２４０が形成されると共に、開口２４０の直線縁部に表示ユニット２００の内部側に立ち上がる第１ホルダ部２４３が形成され、開口２４０に着脱自在に取り付けられるカバー２２０を有し、カバー２２０は、カバー本体２２１と、カバー本体２２１の端縁部から立ち上がる第２ホルダ部２２２とを有し、カバー２２０が開口２４０に取り付けられた状態で、表示ユニット２００の基板２１０から延びるＦＰＣ１０を第１ホルダ部２４３と第２ホルダ部２２２にて挟み込むものとした。【選択図】  図５
2006080121.tif 000002
【特許請求の範囲】
【請求項１】
装置本体に収容された基板に一端が接続され、前記装置本体の端部に表示画面を外方に向けて開閉自在に取り付けられる表示ユニットに収容された基板に他端が接続されるフレキシブルプリント基板の固定構造であって、
前記表示ユニットの前記表示画面の逆側となる背面に少なくとも1つの直線縁部を有する開口が形成されると共に、該開口の前記直線縁部に前記表示ユニットの内部側に立ち上がる第一のホルダ部が形成され、
前記開口に着脱自在に取り付けられるカバーを有し、
前記カバーは、前記開口を覆うカバー本体と、
前記開口の前記直線縁部に対応した前記カバー本体の端縁部から立ち上がる第二のホルダ部とを有し、
前記カバーが前記開口に取り付けられた状態で、前記表示ユニットの前記基板から延びるフレキシブルプリント基板を前記第一のホルダ部と前記第二のホルダ部にて挟み込むものとしたことを特徴とするフレキシブルプリント基板の固定構造。
【請求項２】
前記フレキシブルプリント基板の所定位置に孔が形成され、
前記第一のホルダ部及び前記第二のホルダ部の一方に前記フレキシブルプリント基板に形成された前記孔に対応するボスが形成されると共に他方に前記ボスが挿入されるべき挿入孔が形成され、
前記フレキシブルプリント基板が前記第一のホルダ部と前記第二のホルダ部に挟み込まれた状態において、前記ボスが前記フレキシブルプリント基板に形成された前記孔を通して前記挿入孔に挿入されるものとしたことを特徴とする請求項１記載のフレキシブルプリント基板の固定構造。
【請求項３】
前記カバーは、前記第二のホルダ部が形成される前記カバー本体の前記端縁部から前記カバー本体と逆側に突出し、前記第一のホルダ部の両脇のそれぞれに位置する前記開口の縁に掛けられる突出部を有することを特徴とする請求項１または２記載のフレキシブルプリント基板の固定構造。
【請求項４】
前記フレキシブルプリント基板の端子が接続され、該端子の接続をロックするロック位置と前記端子の接続ロックを解除するアンロック位置とをとり得るロック部材を有するコネクタが前記表示ユニットの前記基板上の前記開口に対面する位置に設けられ、
前記カバーが前記開口に取り付けられる際にアンロック位置にある前記ロック部材を前記ロック位置に移動させる突起部が前記カバー本体に設けられたことを特徴とする請求項１乃至３のいずれかに記載のフレキシブルプリント基板の固定構造。
【発明の詳細な説明】
【技術分野】
【０００１】
本発明は、装置本体と該装置本体に開閉自在に取り付けられた表示ユニットとの間に接続されるフレキシブルプリント基板の固定構造、特に表示ユニット側でのフレキシブルプリント基板の固定構造に関する。
【背景技術】
【０００２】
車両のインストルメントパネル等に搭載されるオーディオ装置やカーナビゲーション装置等の車載装置には、装置本体の前端部に表示ユニットがその表示画面を外方に向けて開閉自在に取り付けられた構造のものがある（例えば、特許文献１及び特許文献２）。このような車載装置では、表示ユニットがその表示画面を外方に向けて装置本体の前端部を閉ざした状態で、前記表示画面に操作ボタンやナビゲーション地図等が表示される。また、表示ユニットがその表示画面を斜め上方に向けて装置本体の前端部を開放する状態で、装置本体の前面に形成されたディスク挿入口へのＣＤ、ＤＶＤ等のディスク媒体の挿入や、そのディスク挿入口からのディスク媒体の取出しがなされる。
【０００３】
このような車載装置では、装置本体側に設けられた基板と表示ユニット側に設けられた基板との間がフレキシブルプリント基板にて接続される。これにより、装置本体の前端部での表示ユニットの開閉動作に支障なく、装置本体の基板と表示ユニットの基板との間で信号やデータがフレキシブルプリント基板を介して送受される。
【０００４】
前記フレキシブルプリント基板は、前記表示ユニットの開閉動作によっても装置本体側の基板及び表示ユニット側の基板の双方から脱落しないように固定されていなければならない。このため、従来のフレキシブルプリント基板の固定構造は、例えば、フレキシブルプリント基板の端子が各基板に設けられたコネクタに挿入され、更に、そのフレキシブルプリント基板の一部を所定部材にネジ止めする構造となっている。このような構造では、フレキシブルプリント基板の装置本体側でネジ止めされる部位と表示ユニット側でネジ止めされる部位との間は、表示ユニットの開閉動作に際して曲げられたり戻されたりするが、そのネジ止めされた部位からコネクタまでの間は、そのように曲げられることがなく、フレキシブルプリント基板の端子のコネクタへの挿入状態が確実に維持される。
【特許文献１】特開平６−３３６１４２号公報
【特許文献２】特開平１０−１３５６６９号公報
【発明の開示】
【発明が解決しようとする課題】
【０００５】
ところで、フレキシブルプリント基板を必要以上に長くしないために、フレキシブルプリント基板の少なくとも一方端部側は、装置本体に表示ユニットを開閉自在に取り付けた後に固定しなければならない。このため、前述したようなフレキシブルプリント基板の固定構造では、装置本体に表示ユニットを開閉自在に取り付けた後にフレキシブルプリント基板の一方端部を装置本体または表示ユニットの所定部材にネジ止めすることが難しい。
【０００６】
本発明は、前記従来の問題を解決するためになされたもので、装置本体に表示ユニットを開閉自在に取り付けた後であっても、フレキシブルプリント基板の表示ユニット側への固定が容易にできるようなフレキシブルプリント基板の固定構造を提供するものである。
【課題を解決するための手段】
【０００７】
本発明に係るフレキシブルプリント基板の固定構造は、装置本体に収容された基板に一端が接続され、前記装置本体の端部に表示画面を外方に向けて開閉自在に取り付けられる表示ユニットに収容された基板に他端が接続されるフレキシブルプリント基板の固定構造であって、前記表示ユニットの前記表示画面の逆側となる背面に少なくとも1つの直線縁部を有する開口が形成されると共に、該開口の前記直線縁部に前記表示ユニットの内部側に立ち上がる第一のホルダ部が形成され、前記開口に着脱自在に取り付けられるカバーを有し、前記カバーは、前記開口を覆うカバー本体と、前記開口の前記直線縁部に対応した前記カバー本体の端縁部から立ち上がる第二のホルダ部とを有し、前記カバーが前記開口に取り付けられた状態で、前記表示ユニットの前記基板から延びるフレキシブルプリント基板を前記第一のホルダ部と前記第二のホルダ部にて挟み込むものとした。
【０００８】
このような構成により、装置本体に収容された基板に一端が接続されたフレキシブルプリント基板を表示ユニットの背面に形成された開口から表示ユニット内に進入させてその他端を表示ユニットに収容された基板に接続し、その後、フレキシブルプリント基板を前記開口の直線縁部から立ち上がる第一のホルダ部に沿わせた状態で、カバーを前記開口に取り付ける。すると、フレキシブルプリント基板がカバー本体の端縁部から立ち上がる第二のホルダ部と前記第一のホルダ部にて挟み込まれ、当該フレキシブルプリント基板が表示ユニット内で固定される。
【０００９】
また、本発明に係るフレキシブルプリント基板の固定構造は、前記フレキシブルプリント基板の所定位置に孔が形成され、前記第一のホルダ部及び前記第二のホルダ部の一方に前記フレキシブルプリント基板に形成された前記孔に対応するボスが形成されると共に他方に前記ボスが挿入されるべき挿入孔が形成され、前記フレキシブルプリント基板が前記第一のホルダ部と前記第二のホルダ部に挟み込まれた状態において、前記ボスが前記フレキシブルプリント基板に形成された前記孔を通して前記挿入孔に挿入されるものとした構造とすることができる。
【００１０】
このような構成により、フレキシブルプリント基板が前記第一のホルダ部と第二のホルダ部との間でボスによってより確実に固定されることとなる。
【００１１】
更に、本発明に係るフレキシブルプリント基板の固定構造は、前記カバーが、前記第二のホルダ部が形成される前記カバー本体の前記端縁部から前記カバー本体と逆側に突出し、前記第一のホルダ部の両脇のそれぞれに位置する前記開口の縁に掛けられる突出部を有する構成とすることができる。
【００１２】
このような構成により、カバーの突出部を開口の縁に掛け、その突出部と前記開口の縁との接点を支点としてカバーを回動させることにより、容易に当該カバーを前記開口に取り付けることができるようになる。
【００１３】
また、本発明に係るフレキシブルプリント基板の固定構造は、前記フレキシブルプリント基板の端子が接続され、該端子の接続をロックするロック位置と前記端子の接続ロックを解除するアンロック位置とをとり得るロック部材を有するコネクタが前記表示ユニットの前記基板上の前記開口に対面する位置に設けられ、前記カバーが前記開口に取り付けられる際にアンロック位置にある前記ロック部材を前記ロック位置に移動させる突起部が前記カバー本体に設けられた構成とすることができる。
【００１４】
このような構成により、フレキシブルプリント基板を表示ユニットの背面に形成された開口から表示ユニット内に進入させてその端子を表示ユニットに収容された基板に設けられコネクタに接続した際にロック部材をロック位置にすることを忘れたとしても、カバーを前記開口に取り付ければ、そのカバーに設けられた突起部が前記ロック部材をアンロック位置に移動させる。従って、コネクタのロック部材をロック位置にし忘れることが確実に防止される。
【発明の効果】
【００１５】
本発明に係るフレキシブル基板の固定構造によれば、表示ユニットの背面に形成された開口を通して表示ユニットの基板にその先端が接続されたフレキシブルプリント基板を前記開口の直線端部から立ち上がる第一のホルダ部に沿わせた状態でカバーを前記開口に取り付けることで、前記フレキシブルプリント基板が前記第一のホルダ部とカバー本体の端縁部から立ち上がる第二のホルダ部にて挟み込まれるようになるので、装置本体に表示ユニットを開閉自在に取り付けた後であっても、フレキシブルプリント基板の表示ユニット側への固定が容易にできるようなる。
【発明を実施するための最良の形態】
【００１６】
以下、本発明の実施の形態について、図面を用いて説明する。
【００１７】
本発明の実施の一形態に係るフレキシブルプリント基板の固定構造が適用される車載装置は、図１に示すように構成される。この車載装置は、例えば、車両のインストルメントパネルに搭載されるオーディオ装置、ナビゲーション装置等である。
【００１８】
図１において、装置本体１００の前端部１００ａに表示ユニット２００が表示画面２５０を外方に向けて開閉自在に取り付けられている。表示ユニット２００の装置本体１００に対する取り付け構造は次にようになっている。なお、図１は、装置本体１００及び表示ユニット２００の片側しか示されていないが、他方側も同様の構成となっている。
【００１９】
装置本体１００の前端部１００ａに前面側に凹部を有するパネル１０２が設けられている。パネル１０２の両内側面には、縦方向に延びるガイド溝１０３が形成されている。また、装置本体１００の底部の両側それぞれにスライドバー１０１が設けられている。スライドバー１０１は、ラック・ピニオン機構１０４によって装置本体１００の前後方向（図面左右方向）に進退可能となっている。表示ユニット２００の両側それぞれの下端側に支持ピン２０１が設けられると共に上端側にガイドローラ２０２が設けられている。支持ピン２０１の位置は、ガイドローラ２０２の位置より表示ユニット２００の背面側（表示画面２５０と逆側の面）に寄っている。表示ユニット２００の支持ピン２０１にはスライドバー１０１の先端が回動自在に係合し、ガイドローラ２０２がパネル１０２のガイド溝１０３に摺動自在に嵌合している。
【００２０】
このような構造において、ラック・ピニオン機構１０４によってスライドバー１０１が装置本体１００内に後退すると、そのスライドバー１０１の移動に伴ってスライドバー１０１の先端に係合する支持ピン２０１が直線的に引かれ、表示ユニット２００の下端部が装置本体１００側に引き込まれる。表示ユニット２００の下端部が装置本体１００側に引き込まれるときの力によって、表示ユニット２００に設けられたガイドローラ２０２がガイド溝１０３に沿って上方に移動する。そして、そのガイドローラ２０２の移動によって表示ユニット２００の上端部が上方に向けて移動する。
【００２１】
この表示ユニット２００下端部の装置本体１００側への直線的な移動と表示ユニット２００上端部のガイド溝１０３に沿った上方への移動により、表示ユニット２００は、表示画面２５０を外方（前方）に向けた状態でその下端部が装置本体１００の前端部１００ａに近づきつつ立ち上がる。そして、表示ユニット２００の上端部が装置本体１００の前端部１００ａの上端に達したときに表示ユニット２００の下端部が装置本体１００の前端部１００ａの下端に達し、表示ユニット２００は、表示画面２５０を前方に向けて装置本体１００の前端部１００ａを閉ざす状態、つまり、パネル１０２の前記凹部に収容された状態となる。この状態で、表示ユニット２００の表示画面２５０に、装置本体１００での処理に基づいた各種情報（例えば、ナビゲーション地図等）の表示がなされる。
【００２２】
表示ユニット２００が装置本体１００の前端部１００ａを閉ざした状態からラック・ピニオン機構１０４によってスライドバー１０１が装置本体１００から進出すると、そのスライドバー１０１の移動に伴ってスライドバー１０１の先端に係合する支持ピン２０１が直線的に押され、表示ユニット２００の下端部が装置本体１００の外方に押出される。表示ユニット２００の下端部が装置本体１００の外方に押出されるときの力によって、ガイドローラ２０２がガイド溝１０３に沿って下方に移動する。そして、そのガイドローラ２０２の移動によって表示ユニット２００の上端部が下方に向けて移動する。
【００２３】
この表示ユニット２００下端部の装置本体１００の外方向への移動と表示ユニット２００上端部のガイド溝１０３に沿った下方への移動により、表示ユニット２００は、表示画面２５０を斜め上方に向けた状態でその下端部が装置本体１００の前端部１００ａから離れつつ立ち下がる。そして、ガイドローラ２０２がガイド溝１０３の下端に達したときに、スライドバー１０１が最長進出位置に達し、表示ユニット２００は、その際のガイドローラ２０２と支持ピン２０１との位置関係で決まる傾きをもち、表示画面２５０を外方に向けて装置本体１００の前端部１００ａを開放する状態となる。この状態で、例えば、パネル１０２の前面に設けられた挿入口からディスク媒体の取出し、あるいは、その挿入口へのディスク媒体の挿入がなされる。
【００２４】
装置本体１００と、前述したように装置本体１００の前端部１００ａに表示画面２５０を外方に向けて開閉自在に取り付けられた表示ユニット２００との間にフレキシブルプリント基板が接続されている。そのフレキシブルプリント基板の固定構造は、図２に示すようになっている。
【００２５】
図２において、まず、装置本体１００に収容された基板１１０にコネクタ１１１が固定されており、フレキシブルプリント基板（以下、ＦＰＣという）１０の一方の端子がコネクタ１１１に接続されている。装置本体１００の底板には基板１１０の下方に位置するようにブラケット１２０が設けられ、コネクタ１１１から延びるＦＰＣ１０がホルダ１３０によってブラケット１２０に固定されている。このような装置本体１００側でのＦＰＣ１０の更に詳細な固定構造を図３及び図４を参照して説明する。図３は、基板１１０、コネクタ１１１、ブラケット１２０及びホルダ１３０の構成を示す断面図であり、図４は、ブラケット１２０及びホルダ１３０の平面図である。
【００２６】
図３及び図４において、ブラケット１２０は、Ｌ字状に一体となる縦板１２１と横板１２２とを有し、更に、横板１２２から縦板１２１に平行となるように折り曲げ形成された支持板１２３を有する。縦板１２１が装置本体１００の底板に固定されることにより、横板１２２が基板１１１と略平行となるように配置される。支持板１２３には後述するホルダ１３０に設けられたボス１３４ａ、１３４ｂが挿入可能となる孔１２４ａ、１２４ｂが所定の間隔をもって形成されている。
【００２７】
ホルダ１３０は、ブラケット１２０と略同じ幅となり、第1横バー部１３１と第２横バー部１３２とを有し、第１横バー部１３１と第２横バー部１３２との間にＦＰＣ１０の幅より僅かに大きい長さとなるスリット１３３が形成されている。第１横バー部１３１には、所定の間隔をもって配置されたボス１３４ａ、１３４ｂが形成されている。第１横バー部１３１及び第２横バー部１３２の両側端のそれぞれには立上がり固定部１３５が形成されている。
【００２８】
ＦＰＣ１０の装置本体１００側への取り付けは次のようにしてなされる。
【００２９】
ホルダ１３０の第２横バー部１３２側から進入するＦＰＣ１０をホルダ１３０の上側からスリット１３３を通して下側にまわし、その下側から第１横バー部１３１に沿わせて上方向に戻してＦＰＣ１０に形成された孔（図示略）に各ボス１３４ａ、１３４ｂを通す。そして、ＦＰＣ１０の先端の端子を基板１１１に固定されたコネクタ１１１に接続する（図３参照）。この状態で、各ボス１３４ａ、１３４ｂをブラケット１２０の支持板１２３に形成された孔１２４ａ、１２４ｂに嵌めこんでホルダ１３０を所定の位置にセットし、立上がり固定部１３５を装置本体１００内の所定部材に取り付け固定する。
【００３０】
これにより、ＦＰＣ１０は、ホルダ１３０のボス１３４ａ、１３４ｂにより抜け止めされた状態でブラケット１２０の支持板１２３とホルダ１３０の第１横バー部１３１に挟まれ、固定される。このようなＦＰＣ１０の装置本体１００側での固定構造によれば、前述したように表示ユニット２００が装置本体１００の前端部１００ａにおいて開閉動作しても、ＦＰＣ１０のブラケット１２０とホルダ１３０とによって挟まれた部位からコネクタ１１１に接続される端子までの間の部分は、曲げ及びその戻しがなされることはなく、ＦＰＣ１０の端子のコネクタ１１１への接続状態を確実に維持することができる。
【００３１】
図２に戻って、表示ユニット２００の表示画面２５０の逆側の背面には、カバー２２０が取り付けられるべき開口２４０が形成され、表示ユニット２００に収容された基板２１０の開口２４０に対面する位置にコネクタ２１１が固定されている。前述したように一端が装置本体１００側の基板１１０上に固定されたコネクタ１１１に接続されるＦＰＣ１０の他方側の端子がコネクタ２１１に接続されている。開口２４０を通るＦＰＣ１０は、カバー２２０と開口２４０の縁部から表示ユニット２００の内部側に立ち上がる部材（詳細は後述する）に挟まれた状態で固定される。
【００３２】
このような表示ユニット２００側でのＦＰＣ１０の更に詳細な固定構造を図５乃至図１０を参照して説明する。図５は、表示ユニット２００においてＦＰＣ１０を固定する各部の構造を示す図であり、図６は、開口２４０に形成される第１ホルダ部の正面図であり、図７は、開口２４０近傍における表示ユニット２００の背面部の断面図であり、図８はカバー２２０の断面図であり、図９は、開口２４０、カバー２２０及びＦＰＣ１０の関係を示す平面図であり、図１０は、ＦＰＣ１０の表示ユニット２００側での固定構造の詳細を示す図である。
【００３３】
図５において、表示ユニット２００の背面２６０に開口２４０が形成され、表示ユニット２００に収容された基板２１０の開口２４０に対面する位置にコネクタ２１１が固定されている。コネクタ２１１は、ＦＰＣ１０の端子の接続をロックするロック位置と前記端子の接続ロックを解除するアンロック位置（図５に示す位置）とをとり得るロックピン２１２を備えている。
【００３４】
表示ユニット２００の横方向（図５の紙面垂直方向）に直線的に延びる開口２４０の一方側縁部（直線縁部）には、表示ユニット２００の内部側に垂直に立ち上がる第１ホルダ部２４３（図５と共に図６及び図７参照）が形成されている。また、開口２４０の第１ホルダ２４３が形成された前記直線縁部以外の周辺部位には、カバー２２０を支持する凹み部２４１（図５と共に図７及び図９参照）が形成されている。第１ホルダ部２４３には、図６及び図７に示すように、後述するカバー２２０に設けられたボス２２５ａ、２２５ｂが挿入可能となる長孔２４４ａ、２４４ｂが所定の間隔をもって形成されている。また、開口２４０の前記周辺部位に形成された凹み部２４１の第１ホルダ部２４３に対向する所定位置にはカバー２２０を固定するためのネジ孔２４２が形成されている。更に、図９に示すように開口２４０の第一ホルダ２４３の両脇部分が切り欠かれ、切り欠き縁２４５ａ、２４５ｂが形成されている。
【００３５】
カバー２２０は、表示ユニット２００の背面２６０に形成された開口２４０を覆うカバー本体２２１と、開口２４０の第１ホルダ部２４３が形成されるべき前記直線縁部に対応したカバー本体２２１の端縁部から垂直に立ち上がる第２ホルダ部２２２と、その端縁部からカバー本体２２１と逆側に突出し、第２ホルダ部２２２の両端部に位置する突出部２２３ａ、２２３ｂ（図５と共に図８及び図９参照）とを備えている。第２ホルダ部２２２には、図８及び図９に示すように、所定の間隔をもって配置されたボス２２５ａ、２２５ｂが形成されている。また、カバー本体２２１の内側面には、カバー２２０が開口２４０に取り付けられた状態でコネクタ２１１のロックピン２１２をロック位置に押し下げるための突起２２４が形成されている。更に、開口２４０の周辺部位の凹み部２４１に形成されたネジ孔２４２に対応するカバー本体２２１の所定位置には孔２２１ａが形成されている。
【００３６】
ＦＰＣ１０には、図９に示すように、前述したボス２２５ａ、２２５ｂが通るべき孔１２ａ、１２ｂが形成されている。なお、図９において、ＦＰＣ１０に形成された孔１３ａ、１３ｂは、前述したようなＦＰＣ１０の装置本体１００側での固定構造において、ホルダ１３０のボス１３４ａ、１３４ｂ（図３、図４参照）が通るべき孔である。
【００３７】
ＦＰＣ１０の表示ユニット２００側への取り付けは次のようにしてなされる。
【００３８】
前述したようにＦＰＣ１０の一方側端部が装置本体１００に固定された後に、表示ユニット２００が装置本体１００の前端部１００ａを開放する状態で装置本体１００に装着される（図１及び図２参照）。その後、ＦＰＣ１０の他方側端部が開口２４０から表示ユニット２００内に挿入され、端子がコネクタ２１１に接続される。
【００３９】
この状態で、コネクタ２１１から延びるＦＰＣ１０に形成された各孔１２ａ、１２ｂ（図９参照）にカバー２２０の第２ホルダ部２２２から突出するボス２２５ａ、２２５ｂを通し、カバー２２０の突出部２２３ａ、２２３ｂを開口２４０の切り欠き縁２４５ａ、２４５ｂ（図９参照）に引っ掛ける（図５に示す状態）。そして、各突出部２２３ａ、２２３ｂと開口２４０の対応する切り欠き縁２４５ａ、２４５ｂとの接点を支点としてカバー２２０を開口２４０側に回動させて（図５の破線参照）、カバー本体２２１の縁部を開口２４０の周辺部位に形成された凹み部２４１に当接させる。
【００４０】
これにより、ＦＰＣ１０の孔１２ａ、１２ｂに通されたボス２２５ａ、２２５ｂが、図１０に示すように、第１ホルダ部２４３に形成された長孔２２４ａ、２２４ｂに嵌り込み、ＦＰＣ１０は、ボス２２５ａ、２２５ｂによって抜け止めされた状態で第1ホルダ部２４３と第２ホルダ部２２２とによって挟まれ、固定される。また、カバー本体２２１が開口２４０を閉ざす際に、カバー本体２２１の内側面に設けられた突起２２４がコネクタ２１１に設けられたロックピン２１２をロック位置に押し下げる。このとき、第２ホルダ部２２２の表示ユニット２００内方側端部を適度な曲面形状にしておくことにより、コネクタ２１１とボス２２５ａ，２２５ｂ間で延びるＦＰＣ１０が撓み余裕をもってフォーミングされるので、コネクタ２１１に接続される端子にストレスが加わることがない。
【００４１】
カバー２２０は、その一端側が開口２４０の切り欠き縁２４５ａ、２４５ｂに係止する突出部２２３ａ、２２３ｂによって開口２４０からの脱落が防止されると共に、他端側が孔２２１ａを通ってネジ孔２４２にねじ込まれるネジ２２６によって開口２４０の周辺部位に形成された凹み部２４１に固定される。これにより、カバー２２０が開口２４０を覆うように表示ユニット２００の背面２４０に確実に固定される。
【００４２】
このようなＦＰＣ１０の表示ユニット２００側での固定構造によれば、前述したように表示ユニット２００が装置本体１００の前端部１００ａにおいて開閉動作しても、ＦＰＣ１０の第１ホルダ部２４３と第２ホルダ部２２２とによって挟まれた部位からコネクタ２１１に接続される端子までの間の部分は、曲げ及びその戻しがなされることはなく、ＦＰＣ１０の端子のコネクタ２１１への接続状態を確実に維持することができる。また、ＦＰＣ１０の端子をコネクタ２１１に接続し、その後、ロックピン２１２をロック位置にすることを忘れても、カバー２２０を開口２４０に取り付ける際に自動的にロックピン２１２がロック位置に操作されるので、ＦＰＣ１０の端子のコネクタ２１１への確実な接続を行ない得る。
【００４３】
また、ＦＰＣ１０の端子をコネクタ２１１に接続した状態でカバー２２０を開口２４０に取り付けることで、ＦＰＣ１０がボス２２５ａ、２２５ｂによって抜け止めされた状態で第１ホルダ２４３と第２ホルダ２２２とによって挟まれ、固定されるようになるので、ＦＰＣ１０を表示ユニット２００内部に固定する際に、ＦＰＣ１０を表示ユニット２００内部の部材にネジ止めする等の作業が不要となる。従って、表示ユニット２００が装置本体１００の前端部１００ａに取り付けられた状態であっても、ＦＰＣ１０の表示ユニット２００側での固定作業がやり易くなる。
【００４４】
なお、前述した例では、第１ホルダ部２４３が開口２４０の直線縁部から表示ユニット２００の内部側に垂直に立ち上がるものであったが、斜めに（開口２４０に近づく方向または開口２４０から遠ざかる方向）立ち上がるものであってもよい。この場合、カバー２２０における第２ホルダ部２２２は、第１ホルダ部２４３の前記立上がりの角度に応じた角度にてカバー本体２２１から立ち上がるように構成される。
【００４５】
また、カバー２２０を開口２４０に取り付けたときに第２ホルダ部２２２が第１ホルダ部２４３を積極的に押圧するように、第１ホルダ部２４３と第２ホルダ部２２２の立上がり角度を僅かに異なるようにすることもできる。この場合、第２ホルダ部２２２による第１ホルダ部２４３への積極的な押圧によりＦＰＣ１０が第１ホルダ部２４３と第２ホルダ部２２２によって強く挟まれることになるので、ＦＰＣ１０の抜け止めを防止するために第２ホルダ部２２２に形成したボス２２５ａ、２２５ｂを省くことが可能になり得る。
【産業上の利用可能性】
【００４６】
以上、説明したように、本発明に係るフレキシブル基板の固定構造は、装置本体に表示ユニットを開閉自在に取り付けた後であっても、フレキシブルプリント基板の表示ユニット側への固定が容易にできるという効果を有し、装置本体と該装置本体に開閉自在に取り付けられた表示ユニットとの間に接続されるフレキシブルプリント基板の固定構造として有用である。
【図面の簡単な説明】
【００４７】
【図１】本発明の実施の形態に係るフレキシブルプリント基板（ＦＰＣ）の固定構造が適用される車載装置の一例を示す図である。
【図２】本発明の実施の形態に係るフレキシブルプリント基板（ＦＰＣ）の固定構造を示す図である。
【図３】装置本体側における基板、コネクタ、ブラケット及びホルダの構成を示す断面図である。
【図４】ブラケット及びホルダの平面図である。
【図５】表示ユニットにおいてＦＰＣを固定する各部の構造を示す図である。
【図６】開口に形成される第１ホルダ部の正面図である。
【図７】開口近傍における表示ユニットの背面部の断面図である。
【図８】カバーの断面図である。
【図９】開口、カバー及びＦＰＣの関係を示す平面図である。
【図１０】ＦＰＣの表示ユニット側での固定構造の詳細を示す図である。
【符号の説明】
【００４８】
１０  フレキシブルプリント基板（ＦＰＣ）
１２ａ、１２ｂ、１３ａ、１３ｂ  孔
１００  装置本体
１００ａ  前端部
１０１  スライドバー
１０２  パネル
１０３  ガイド溝
１０４  ラック・ピニオン機構
１１０  基板
１１１  コネクタ
１２０  ブラケット
１３０  ホルダ
２００  表示ユニット
２０１  支持ピン
２０２  ガイドローラ
２１０  基板
２１１  コネクタ
２１２  ロックピン
２２０  カバー
２２１  カバー本体
２２２  第２ホルダ部
２２３ａ、２２３ｂ  突出部
２２４  突起
２２５ａ、２２５ｂ  ボス
２４０  開口
２４１  凹み部
２４３  第１ホルダ部
２４４ａ、２４４ｂ  長孔
【図１】
2006080121.tif 000003
【図２】
2006080121.tif 000004
【図３】
2006080121.tif 000005
【図４】
2006080121.tif 000006
【図５】
2006080121.tif 000007
【図６】
2006080121.tif 000008
【図７】
2006080121.tif 000009
【図８】
2006080121.tif 000010
【図９】
2006080121.tif 000011
【図１０】
2006080121.tif 000012